(57)【要約】【課題】芯材を多く用いてもランドセルが重くならず、しかも芯材を背負いベルトに取り付けたい位置への位置決めが簡単になり、その取り付けたい位置に正確に取り付けることのできるランドセルを提供する。【解決手段】使用者の身体に接触する部分の少なくとも一部に、線状にした形状保持樹脂６をメッシュ状に織って熱溶着により固定し、定形に裁断可能とした芯材Ｍを付設し、使用者の身体に面接触するように形状変更可能とした背負いベルトＢを有したものとしている。【選択図】図１
0003137763.tif 000002
【実用新案登録請求の範囲】
【請求項１】
使用者の身体に接触する部分の少なくとも一部に、線状にした形状保持樹脂（６）をメッシュ状に織って熱溶着により固定し、定形に裁断可能とした芯材（Ｍ）を付設し、使用者の身体に面接触するように形状変更可能とした背負いベルト（Ｂ）を有することを特徴とするランドセル。
【請求項２】
前記背負いベルト（Ｂ）を、上ベルト（Ｂ1 ）と下ベルト（Ｂ2 ）からなるものとし、これら上ベルト（Ｂ1 ）と下ベルト（Ｂ2 ）の一方に前記芯材（Ｍ）を付設し、この部分を使用者の身体に面接触するように形状変更可能としていることを特徴とする請求項１記載のランドセル。
【請求項３】
前記背負いベルト（Ｂ）を、上ベルト（Ｂ1 ）と下ベルト（Ｂ2 ）からなるものとし、これら上ベルト（Ｂ1 ）と下ベルト（Ｂ2 ）の両方に前記芯材（Ｍ）を付設し、これらの部分を使用者の身体に面接触するように形状変更可能としていることを特徴とする請求項１記載のランドセル。
【請求項４】
前記背負いベルト（Ｂ）の上ベルト（Ｂ1 ）を外装生地（８）の間にクッション材（９）を挟み込んだものとし、前記芯材（Ｍ）に接着剤を塗布して外装生地（８）とクッション材（９）との間に挟み込み位置決めしてから、これらを一纏めにして縫着したものとしていることを特徴とする請求項３記載のランドセル。
【考案の詳細な説明】
【技術分野】
【０００１】
この考案は、背負いベルトを改良したランドセルに関するものである。
【背景技術】
【０００２】
従来、この種のランドセルとしては、図７、８に示したように、背部１１から背負いベルトＢに向かって湾曲させた形状記憶材料よりなる補強材１２を、この背負いベルトＢの表部材１３とクッション材１４の間に、長手方向に沿って止着させたものが存在する（特許文献１）。
【０００３】
このような構造としたランドセルＲは、長期間の使用によっても背負いベルトＢがへたばることがなく、使用者の肩にいつまでもフィットする形状を維持しており、背負ったランドセルＲが重く感じることがないものとなるとしている。
【０００４】
さらに、この種のランドセルとしては、図９〜１１に示したように、樹脂製形状保持テープ２１からなる芯材を、合成皮革などからなる外装生地２２（表生地２２ａ、裏生地２２ｂ）の間に合成樹脂などからなるクッション材２３を挟み込んだ背負いベルトＢに、その外装生地２２とクッション材２３の間に挟み込み、これらを一纏めにして縫着したものが存在する（特許文献２）。
【０００５】
このような構造としたランドセルＲは、どのような体格の使用者が背負ったときにも、背負いベルトＢを使用者の身体にフィットさせることができるものとなるとしている。
【特許文献１】登録実用新案第３０１１７０７号公報（第５頁、図１、２）
【特許文献２】登録実用新案第３１２６８８７号公報（第３、４頁、図１、３、５）
【考案の開示】
【考案が解決しようとする課題】
【０００６】
しかしながら、上記従来のランドセルでは、背負いベルトＢに用いた補強材１２や芯材が何れも板状体からなっているため、硬くて定形に裁断するのが困難であり、またこのような補強材１２や芯材を多く用いると重量が大きくなり、ランドセルＲの重量も大きくなるという問題点を有していた。
【０００７】
さらに、上記従来のランドセルでは、前記補強材１２や芯材が何れも平滑な板状体からなっているため、背負いベルトＢのような細い部分に挟み込む場合であっても、その内部で移動してずれてしまうことがあり、背負いベルトＢの取り付けたい位置に正確に取り付けることができなくなるという問題点を有していた。
【０００８】
また、上記従来のランドセルでは、前記補強材１２や芯材を取り付けたい位置に正確に取り付けるために接着剤を用いても、平滑な板状体からなっているため背負いベルトＢと接着しにくく、その背負いベルトＢの取り付けたい位置への位置決めが困難であるという問題点を有していた。
【０００９】
そこで、この考案は、上記従来の問題点を解決するものであり、芯材を多く用いてもランドセルが重くならず、しかも芯材を背負いベルトに取り付けたい位置への位置決めが簡単になり、その取り付けたい位置に正確に取り付けることのできるランドセルを提供することを目的としてなされたものである。
【課題を解決するための手段】
【００１０】
この考案のランドセルは、使用者の身体に接触する部分の少なくとも一部に、線状にした形状保持樹脂６をメッシュ状に織って熱溶着により固定し、定形に裁断可能とした芯材Ｍを付設し、使用者の身体に面接触するように形状変更可能とした背負いベルトＢを有したものとしている。
【００１１】
さらに、この考案のランドセルは、前記背負いベルトＢを、上ベルトＢ1 と下ベルトＢ2 からなるものとし、これら上ベルトＢ1 と下ベルトＢ2 の一方の芯材Ｍを付設した部分を使用者の身体に面接触するように形状変更可能としている。
【００１２】
また、この考案のランドセルは、前記背負いベルトＢを、上ベルトＢ1 と下ベルトＢ2 からなるものとし、これら上ベルトＢ1 と下ベルトＢ2 の両方の芯材Ｍを付設した部分を使用者の身体に面接触するように形状変更可能としている。
【００１３】
さらに、この考案のランドセルは、前記背負いベルトＢの上ベルトＢ1 を外装生地８の間にクッション材９を挟み込んだものとし、芯材Ｍに接着剤を塗布して外装生地８とクッション材９との間に挟み込み位置決めしてから、これらを一纏めにして縫着したものとしている。
【考案の効果】
【００１４】
この考案のランドセルは、以上に述べたように構成されているので、芯材を多く用いてもランドセルが重くならず、しかも芯材を背負いベルトに取り付けたい位置への位置決めが簡単になり、その取り付けたい位置に正確に取り付けることのできるものとなり、製造業者にとってはランドセルが非常に製造し易いものとなり、使用者にとってはランドセルが非常に背負い易いものとなる。
【考案を実施するための最良の形態】
【００１５】
以下、この考案のランドセルを実施するための最良の形態を、図面に基づいて詳細に説明する。
【００１６】
この考案のランドセルＲは、図示したように、左右のマチ部１ａ、１ａと前仕切り部１ｂ、背部１ｃおよび底部１ｄからなり、教科書、ノート、 筆箱などの物品を収納可能とした収納部２を有しており、さらにこの収納部２を背負うために背部１ｃの上部から底部１ｄに掛けて取り付けられた一対の背負いベルトＢと、前記収納部２の上部開口を開閉自在とした背タレＴを有したものとしている。
【００１７】
背負いベルトＢは、上ベルトＢ1 と下ベルトＢ2 からなるものとしており、上ベルトＢ1 の上端を上連結具３によってランドセルＲの背部１ｃの上部に取り付け、下ベルトＢ2 の下端を下連結具４によってランドセルＲの底部１ｄに取り付けており、上ベルトＢ1 と下ベルトＢ2 とは中間連結具５によって連結されており、この中間連結具５によって背負いベルトＢの長さ調整ができるようにしている。
【００１８】
そして、この背負いベルトＢは、使用者の身体に接触する部分の少なくとも一部に、背負いベルトＢの形状を変更可能とした芯材Ｍを付設したものとしている。
【００１９】
この芯材Ｍは、図示したものでは、上ベルトＢ1 の使用者の肩から胸に接触する部分、および下ベルトＢ2 の脇腹に接触する部分に付設したものとしているが、上ベルトＢ1 または下ベルトＢ2 の一方だけに付設しても、またこれら以外の部分に付設してもよい。
【００２０】
そして、この考案のランドセルでは、前記上ベルトＢ1 と下ベルトＢ2 の両方の芯材Ｍを付設した部分、または上ベルトＢ1 と下ベルトＢ2 の一方の芯材Ｍを付設した部分を使用者の身体との間に隙間が生じないように面接触するように、すなわち使用者の身体に全幅が面接触するように形状変更可能にしている。
【００２１】
例えば、図１に示した状態から図２に示した状態に、前記芯材Ｍを付設した部分を曲げることにより形状変更すれば、下ベルトＢ2 の外側縁が使用者の身体に近づくように傾斜するため、背負い鞄を背負ったときに、使用者の脇腹から胸にかけた部分に下ベルトＢ2 の全幅が面接着するものとなり、使用者の身体にフィットするものとなる。
【００２２】
前記芯材Ｍは、図３に示したように、線状にした形状保持樹脂６をメッシュ状に織って熱溶着により固定し、定形に裁断可能としたものとしている。
【００２３】
前記形状保持樹脂６は、直径約０．３〜１ｍｍの略円形断面を有する線状体としており、一本または複数本を束にして、約０．５〜２ｍｍ角のメッシュ孔７を有するようにしてメッシュ状に織ったものとしている。
【００２４】
このような形状保持樹脂６とは、形状保持性を有する塑性変形可能な合成樹脂からなるものをいい、手指などによって曲げると、任意の角度に曲げることができ、さらに異なる曲げ角度に曲げる力が加わるまでは、その曲げられた形状をそのまま保持し得るものをいう。このようなものとしては、ポリオレフィンを一軸方向に高倍率延伸することにより得られるものがあり、例えば積水化学工業株式会社製の合成樹脂製形状保持材料である「フォルテ」（商標名）を上げることができるが、これに限定されるものではない。
【００２５】
そして、前記芯材Ｍは、背負いベルトＢの内側面に付設したり、背負いベルトＢの内部に付設することができる。
【００２６】
背負いベルトＢの上ベルトＢ1 は、図４に示したように、合成皮革などの外装生地８（表生地８ａ、裏生地８ｂ）の間に合成樹脂などのクッション材９を挟み込んだものとしており、この背負いベルトＢの上ベルトＢ1 の略上半部に対応した形状に裁断した芯材Ｍに、接着剤を塗布して前記外装生地８とクッション材９との間に挟み込み位置決めしてから、これらを一纏めにして縫着して固定したものとしている。
【００２７】
背負いベルトＢの下ベルトＢ2 は、図５に示したように、合成皮革などの表生地８ａと裏生地８ｂを重ね合わせた外装生地８よりなり、この背負いベルトＢの下ベルトＢ2 の略全体に対応した形状に裁断した芯材Ｍに、接着剤を塗布して前記表生地８ａと裏生地８ｂとの間に挟み込み位置決めしてから、これらを一纏めにして鋲１０で固定したものとしている。
【００２８】
この場合、この考案のランドセルでは、鞄用芯材Ｍをメッシュ状に織ったものとしているので、摩擦抵抗が大きくなり、外装生地８とクッション材９の間、または表生地８ａと裏生地８ｂの間に挟み込んだときに滑りにくくなり、鞄用芯材Ｍの位置決めがし易いものとなる。さらに、この考案のランドセルＭでは、形状保持樹脂６に塗布した接着剤が、織り目やメッシュ孔７に行き渡り、形状保持樹脂６と背負いベルトＢとの接触面積が広くなって固化するので、接着力が強くなり、鞄用芯材Ｍの位置決めがし易いものとなる。
【００２９】
以上のように構成したこの考案のランドセルは、その背負いベルトＢを以下のようにして調整することができる。
【００３０】
先ず、使用者の身体に接触する部分の少なくとも一部に前記芯材Ｍを付設した背負いベルトＢを、使用者の肩部に掛け、ランドセルＲを使用者の背部に背負う。
【００３１】
そして、背負いベルトＢの前記芯材Ｍを付設した部分の形状を使用者の身体との間に隙間が生じないように面接触するように、すなわち前記芯材Ｍを付設した部分の形状を使用者の身体に全幅が面接触するように調整する。
【００３２】
前記背負いベルトＢをこのように調整するには、背負いベルトＢの上ベルトＢ1 の使用者の肩から胸に接触する部分を、使用者の肩から胸にかけての湾曲形状に合わせて折り曲げ、その折り曲げた形状に維持しておき、背負いベルトＢの下ベルトＢ2 の外側縁が使用者の脇腹に近づくように傾斜させた状態に折り曲げ、その折り曲げた形状に維持しておけばよい。
【００３３】
そして、背負いベルトＢをこのように調整したランドセルＲを背負った場合には、図６に示したように、使用者の肩の位置や、使用者の脇腹から胸にかけた位置において、 背負いベルトＢの全幅が面接着するようになり、背負いベルトＢが使用者の身体にフィットしたものとなる。
【００３４】
さらに、この考案のランドセルの背負いベルトＢに付設した芯材Ｍは、メッシュ状に織ったものとしており、非常に軽いものとなっているので、背負いベルトＢも軽くなり、ランドセルＲの使用者に重量面でも負担の与えないものとなる。なお、前記芯材ＭをランドセルＲの背負いベルトＢに実施するといっても、従来のような平滑な板状体からなるものを使用すると、背負いベルトＢが重くなり、重いランドセルＲがさらに重くなって、使用者である小学生にとっては、ランドセルＲを背負う場合に大きな負担を与えるものになってしまう。
【図面の簡単な説明】
【００３５】
【図１】この考案のランドセルの一実施形態を示す斜視図である。
【図２】この考案のランドセルを背負い易いように背負いベルトを調整した状態を示す説明図である。
【図３】この考案のランドセルの背負いベルトに付設した芯材の斜視図である。
【図４】この考案のランドセルの背負いベルトの上ベルトの一部断面斜視図である。
【図５】この考案のランドセルの背負いベルトの下ベルトの平面図である。
【図６】図２のように調整したランドセルを背負った状態を示す説明図である。
【図７】従来のランドセルの一例を示す斜視図である。
【図８】従来のランドセルの背負いベルトの一部断面斜視図である。
【図９】従来のランドセルの他の例を示す背面図である。
【図１０】図９に示す従来のランドセルの背負いベルトに付設した芯材の斜視図である。
【図１１】図１０に示す従来のランドセルの背負いベルトの上ベルトの一部断面斜視図である。
【符号の説明】
【００３６】
６  形状保持樹脂
８  外装生地
９  クッション材
Ｂ  背負いベルト
Ｂ1 上ベルト
Ｂ2 下ベルト
Ｍ  芯材
【図１】
0003137763.tif 000003
【図２】
0003137763.tif 000004
【図３】
0003137763.tif 000005
【図４】
0003137763.tif 000006
【図５】
0003137763.tif 000007
【図６】
0003137763.tif 000008
【図７】
0003137763.tif 000009
【図８】
0003137763.tif 000010
【図９】
0003137763.tif 000011
【図１０】
0003137763.tif 000012
【図１１】
0003137763.tif 000013